(57)【要約】【課題】短時間に低コストで適正な光学情報を記録し得る光学情報検証装置を提供する。【解決手段】２次元コード検証器では、受光センサにより読取対象物に記録された２次元コードを撮像し（Ｓ１０３）、受光センサにより撮像された２次元コードの記録状態を所定の評価項目（セルサイズ、コントラスト、印刷拡張、軸非均一性、誤り訂正未使用率）ついて測定してその測定値を出力し（Ｓ１０９）、これにより得られた測定値と所定の基準値（評価値）等を比較してその比較結果を出力し（Ｓ１０９）、当該比較結果に対応した改善策に変換して液晶表示器に出力する（Ｓ１１１、Ｓ１１３）。【選択図】図５
2007122243.tif 000002
【特許請求の範囲】
【請求項１】
表示媒体上に記録された光学情報を撮像する撮像手段と、
前記撮像手段により撮像された光学情報の記録状態を所定の評価項目について測定してその測定値を出力する測定手段と、
前記測定手段により得られた測定値と所定の基準値とを比較しその比較結果を出力する比較手段と、
前記比較手段により出力された比較結果を当該比較結果に対応した改善策に変換して出力する改善策出力手段と、
を備えることを特徴とする光学情報検証装置。
【請求項２】
光学情報の前記記録状態に影響を与える光学情報の記録条件を入力するための記録条件入力手段を備え、
前記改善策出力手段は、前記比較手段により出力された比較結果と前記記録条件入力手段により入力された記録条件とに対応した改善策に、前記比較結果を変換して出力することを特徴とする請求項１記載の光学情報検証装置。
【請求項３】
光学情報の前記記録状態に影響を与える光学情報の読取条件を入力するための読取条件入力手段を備え、
前記改善策出力手段は、前記比較手段により出力された比較結果と前記読取条件入力手段により入力された読取条件とに対応した改善策に、前記比較結果を変換して出力することを特徴とする請求項１記載の光学情報検証装置。
【請求項４】
光学情報の前記記録状態に影響を与える光学情報の種別を入力するための種別情報入力手段を備え、
前記改善策出力手段は、前記比較手段により出力された比較結果と前記種別情報入力手段により入力された光学情報の種別とに対応した改善策に、前記比較結果を変換して出力することを特徴とする請求項１記載の光学情報検証装置。
【請求項５】
光学情報の前記記録状態に影響を与える光学情報の記録条件、光学情報の前記記録状態に影響を与える光学情報の読取条件および光学情報の前記記録状態に影響を与える光学情報の種別のうち、少なくとも１つ以上を入力するための入力手段と、
前記入力手段により入力された前記記録条件、前記読取条件および前記種別の少なくとも１つと前記比較手段により出力された比較結果とに対応する改善策を索引可能な改善策変換テーブルと、
を備えることを特徴とする請求項１記載の光学情報検証装置。
【請求項６】
請求項１〜５のいずれか一項に記載の光学情報検証装置は、携帯可能であり、
前記光学情報に反射した反射光が入射可能な読取口と、
前記読取口から前記反射光の到来方向に延びて設けられ、当該読取口から前記光学情報まで離隔距離で前記測定のための一定距離を明示可能な案内部材と、
を備えることを特徴とする光学情報検証装置。
【請求項７】
請求項１〜５のいずれか一項に記載の光学情報検証装置は、携帯可能であり、
前記光学情報に照明光を照射可能な照明手段と、
前記照明手段により照射された照明光が前記光学情報に反射した反射光を取り込み可能な読取口と、
前記読取口の開口周囲に筒状に設けられ、前記照明手段から前記光学情報への照明光の照射および前記光学情報から前記読取口への反射光の入射をそれぞれ可能にし、かつ前記照明光および前記反射光以外の外来光の入射を遮断可能な遮光部材と、
を備えることを特徴とする光学情報検証装置。
【請求項８】
前記照明手段は、前記光学情報を読み取り得る光学情報読取装置から前記光学情報に照射される照明光とほぼ同様の発光特性を備えた照明光を照射可能であること特徴とする請求項７記載の光学情報検証装置。
【請求項９】
前記照明光は、光の三原色または白色からなり、これら各色の発光強度、点灯および消灯の各条件をそれぞれ任意に設定可能であることを特徴とする請求項８記載の光学情報検証装置。
【請求項１０】
前記改善策出力手段は、文字情報、記号情報および図形情報の少なくとも１以上を表示可能な表示手段、または音声および音響の少なくとも１以上を出力可能な出力手段、を介して前記改善策を出力可能であることを特徴とする請求項１〜９のいずれか一項に記載の光学情報検証装置。
【発明の詳細な説明】
【技術分野】
【０００１】
本発明は、表示媒体上に表示または印刷により記録された光学情報の記録状態を所定の評価項目について測定し得られた測定値と所定の基準値とを比較し当該比較結果に基づいて光学情報の記録状態を評価する光学情報検証装置に関するものである。
【背景技術】
【０００２】
バーコードや２次元コードといった各種の光学情報は、従来より工業製品等に貼付される製品のラベルやフィルムといった表示媒体に印刷され、その多くは当該製品の流通管理等に用いられているが、現在では、新聞や雑誌等の広告にも用いられている。例えば、広告を出した企業等の広告主が管理するインターネット上のホームページへ誘導する情報媒体としても使われていることが少なくない。
【０００３】
ところで、このような光学情報は、主に、紙やポリエチレンフィルム等の表示媒体に印刷されるが、その印刷寸法や反射率を仕様通りに正しく設定して印刷したつもりでも、印刷条件の違いによっては異なった印刷品質になる場合がある。また、市場に出回ってからは、環境の変化などにより、印刷品質が劣化するのが一般的である。
【０００４】
そして、このような光学情報の印刷品質の劣化は、当該光学情報を付された製品管理に影響を与えるばかりでなく、例えば、当該光学情報が、前述したようなホームページへ誘導する情報媒体として用いられている場合には、当該ホームページへ誘導することができないばかりか、２次元コードが読めないことにより当該広告主の企業イメージを低下させてしまう結果にもなりかねない。
【０００５】
そこで、このような光学情報の印刷品質を検証する装置として、例えば、下記特許文献１に開示される「２次元コード検証装置」がある。この「２次元コード検証装置」では、印刷媒体（表示媒体）上に印刷された２次元コードの画像を読み取る読取手段と、この読取手段により読み取られた２次元コード画像に対して評価すべき基準項目が設定された基準項目設定手段、この基準項目設定手段により設定された基準項目に基づいて順次２次元コード画像を評価する評価手段と、この評価手段による評価結果に基づいて印刷媒体上の２次元コードの印刷状態の正否を検証する検証手段とを設けている。これにより、評価基準についてそれぞれ評価してそれらの評価結果から総合的に評価することにより正確に高精度に２次元コードが正しく印刷されているか否かを検証可能にしている。
【０００６】
【特許文献１】特開平９−１２８４６９号公報
【発明の開示】
【発明が解決しようとする課題】
【０００７】
しかしながら、上記特許文献１に開示される「２次元コード検証装置」によると、２次元コードの印刷状態を検証することは可能であっても、出力される評価結果は、検証すべき基準項目について定量化された評価数値を算出し、この数値に基づいて総合的に良否を判断するに留まっていた。つまり、印刷された光学情報が適正に印刷されているか否かを判断するだけで、例えば、適正に印刷されていないという結果が得られても、そのように印刷された２次元コードの「どこ」を「どのように」修正すれば良いか、また「どのような点」について改善すれば適正な光学情報が印刷できるか等については、評価結果に明示されていなかった。
【０００８】
そのため、このような具体的な改善策を的確かつ確実に得るには、例えば、２次元コードの専門家や経験豊富な技術者等に検証結果の分析を依頼して当該光学情報の印字改善について指摘や指導を受けることが必要となる。しかし、これには相当なコストや時間がかかってしまうという問題がある。
【０００９】
また、このような専門家等による指摘や指導を受けない場合には、紙やフィルム等の印刷媒体や印刷用のインクやトナーを選択したり、あるいはラベルプリンタの設定やプリンタの機種等を変更したりといった、種々様々に想定される複数の条件を組み合わせた印刷の試行を繰り返し行わなければ的確な改善策を得ることは難しい。このため、このような試行錯誤に要する時間やコストを考慮すると、やはり相当なコストや時間がかかってしまうという問題がある。
【００１０】
本発明は、上述した課題を解決するためになされたものであり、その目的とするところは、短時間に低コストで適正な光学情報を記録し得る光学情報検証装置を提供することにある。
【課題を解決するための手段】
【００１１】
上記目的を達成するため、特許請求の範囲に記載の請求項１の光学情報検証装置では、表示媒体上に記録された光学情報を撮像する撮像手段と、前記撮像手段により撮像された光学情報の記録状態を所定の評価項目について測定してその測定値を出力する測定手段と、前記測定手段により得られた測定値と所定の基準値とを比較しその比較結果を出力する比較手段と、前記比較手段により出力された比較結果を当該比較結果に対応した改善策に変換して出力する改善策出力手段と、を備えることを技術的特徴とする。
【００１２】
なお、「光学情報」とは、１次元コード（ＥＡＮ／ＵＰＣ、インターリーブド２オブ５、コーダバー、コード３９／１２８、スタンダード２オブ５、ＲＳＳ等）に限られず、２次元コード（ＱＲコード、ＰＤＦ４１７、データマトリックス、マキシコード、ＲＳＳコンポジット等）等の各種のコードシンボルを含む概念である。
【００１３】
特許請求の範囲に記載の請求項２の光学情報検証装置では、請求項１記載の光学情報検証装置において、光学情報の前記記録状態に影響を与える光学情報の記録条件を入力するための記録条件入力手段を備え、前記改善策出力手段は、前記比較手段により出力された比較結果と前記記録条件入力手段により入力された記録条件とに対応した改善策に、前記比較結果を変換して出力することを技術的特徴とする。
【００１４】
特許請求の範囲に記載の請求項３の光学情報検証装置では、請求項１記載の光学情報検証装置において、光学情報の前記記録状態に影響を与える光学情報の読取条件を入力するための読取条件入力手段を備え、前記改善策出力手段は、前記比較手段により出力された比較結果と前記読取条件入力手段により入力された読取条件とに対応した改善策に、前記比較結果を変換して出力することを技術的特徴とする。
【００１５】
特許請求の範囲に記載の請求項４の光学情報検証装置では、請求項１記載の光学情報検証装置において、光学情報の前記記録状態に影響を与える光学情報の種別を入力するための種別情報入力手段を備え、前記改善策出力手段は、前記比較手段により出力された比較結果と前記種別情報入力手段により入力された光学情報の種別とに対応した改善策に、前記比較結果を変換して出力することを技術的特徴とする。
【００１６】
特許請求の範囲に記載の請求項５の光学情報検証装置では、請求項１記載の光学情報検証装置において、光学情報の前記記録状態に影響を与える光学情報の記録条件、光学情報の前記記録状態に影響を与える光学情報の読取条件および光学情報の前記記録状態に影響を与える光学情報の種別のうち、少なくとも１つ以上を入力するための入力手段と、前記入力手段により入力された前記記録条件、前記読取条件および前記種別の少なくとも１つと前記比較手段により出力された比較結果とに対応する改善策を索引可能な改善策変換テーブルと、を備えることを技術的特徴とする。
【００１７】
特許請求の範囲に記載の請求項６の光学情報検証装置では、請求項１〜５のいずれか一項に記載の光学情報検証装置は、携帯可能であり、前記光学情報に反射した反射光が入射可能な読取口と、前記読取口から前記反射光の到来方向に延びて設けられ、当該読取口から前記光学情報まで離隔距離で前記測定のための一定距離を明示可能な案内部材と、を備えることを技術的特徴とする。
【００１８】
特許請求の範囲に記載の請求項７の光学情報検証装置では、請求項１〜５のいずれか一項に記載の光学情報検証装置は、携帯可能であり、前記光学情報に照明光を照射可能な照明手段と、前記照明手段により照射された照明光が前記光学情報に反射した反射光を取り込み可能な読取口と、前記読取口の開口周囲に筒状に設けられ、前記照明手段から前記光学情報への照明光の照射および前記光学情報から前記読取口への反射光の入射をそれぞれ可能にし、かつ前記照明光および前記反射光以外の外来光の入射を遮断可能な遮光部材と、を備えることを技術的特徴とする。
【００１９】
特許請求の範囲に記載の請求項８の光学情報検証装置では、請求項７記載の光学情報検証装置において、前記照明手段は、前記光学情報を読み取り得る光学情報読取装置から前記光学情報に照射される照明光とほぼ同様の発光特性を備えた照明光を照射可能であること技術的特徴とする。
【００２０】
特許請求の範囲に記載の請求項９の光学情報検証装置では、請求項８記載の光学情報検証装置において、前記照明光は、光の三原色または白色からなり、これら各色の発光強度、点灯および消灯の各条件をそれぞれ任意に設定可能であることを技術的特徴とする。
【００２１】
特許請求の範囲に記載の請求項１０の光学情報検証装置では、請求項１〜９のいずれか一項に記載の光学情報検証装置において、前記改善策出力手段は、文字情報、記号情報および図形情報の少なくとも１以上を表示可能な表示手段、または音声および音響の少なくとも１以上を出力可能な出力手段、を介して前記改善策を出力可能であることを技術的特徴とする。
【発明の効果】
【００２２】
請求項１の発明では、撮像手段により、表示媒体上に記録された光学情報を撮像し、測定手段によって、撮像手段により撮像された光学情報の記録状態を所定の評価項目について測定してその測定値を出力し、この測定手段により得られた測定値と所定の基準値とを比較手段により比較してその比較結果を出力する。そして、改善策出力手段によって、比較手段により出力された比較結果を当該比較結果に対応した改善策に変換して出力する。これにより、撮像手段により撮像された光学情報の記録状態が適正ではない場合には、所定の基準値として比較した比較結果に基づいてその比較結果に対応した具体的な改善策が出力されるで、当該記録された光学情報のどこを修正すれば良いか、どのような点を改善すれば良いのか等を的確に把握することができる。したがって、専門家等による指摘や指導を受けることなく、光学情報の記録状態などを適正に修正することができるので、短時間に低コストで適正な光学情報を記録することができる。
【００２３】
請求項２の発明では、改善策出力手段によって、記録条件入力手段により入力された光学情報の記録状態に影響を与える光学情報の記録条件と、比較手段により出力された比較結果と、に対応した改善策に、比較結果を変換して出力する。これにより、光学情報の記録条件を踏まえて、改善策を変換して出力することが可能となるので、例えば、光学情報が記録（印刷）される表示媒体（例えば紙やフィルム）の質や記録（印刷）するための機器装置の種類等といった条件に基づいた改善策を出力することができる。したがって、専門家等による指摘等を受けなくても、このような記録条件に基づいた適切な改善策を把握することができるので、さらに短時間に低コストで適正な光学情報の記録を可能にすることができる。
【００２４】
請求項３の発明では、改善策出力手段によって、読取情報入力手段により入力された光学情報の記録状態に影響を与える光学情報の読取条件と、比較手段により出力された比較結果と、に対応した改善策に、比較結果を変換して出力する。これにより、光学情報の読取条件を踏まえて、改善策を変換して出力することが可能となるので、光学情報として、例えば２次元コードを読み取るとき、携帯電話機のイメージャ（ＣＣＤ等）で読み取る場合と２次元コード専用のスキャナで読み取る場合等の光学情報読取装置の違いに基づいた改善策を出力することができる。したがって、専門家等による指摘等を受けなくても、このような読取条件に基づいた適切な改善策を把握することができるので、さらに短時間に低コストで適正な光学情報の記録を可能にすることができる。
【００２５】
請求項４の発明では、改善策出力手段によって、種別情報入力手段より入力された光学情報の記録状態に影響を与える光学情報の種別と、比較手段により出力された出力結果と、に対応した改善策に、比較結果を変換して出力する。これにより、光学情報の種別を踏まえて、改善策を変換して出力することが可能となるので、光学情報の種別として、バーコードであるか２次元コードであるか、またそのサイズ（寸法）等といった違いに基づいた改善策を出力することができる。したがって、専門家等による指摘等を受けなくても、このような光学情報の種別に基づいた適切な改善策を把握することができるので、さらに短時間に低コストで適正な光学情報の記録を可能にすることができる。
【００２６】
請求項５の発明では、光学情報の記録条件、読取条件、種別のうち、少なくとも一つ以上を入力するための入力手段と、この入力手段により入力された記録条件、読取条件および種別の少なくとも一つと比較手段により出力された比較結果とに対応する改善策を索引可能な改善策変換テーブルと、を備える。これにより、このような改善策変換テーブルに基づいて容易に改善策を出力するアルゴリズムを構成することができるので、比較的簡易な構成により改善策出力手段を構成することができる。
【００２７】
請求項６の発明では、当該光学情報検証装置は携帯可能であり、光学情報に反射した反射光が入射可能な読取口を設け、この読取口から入射した反射光の到来方向に延びて設けられる案内部材を備えている。そして、この案内部材は、当該読取口から光学情報までの離隔距離で測定のための一定距離を明示可能にしているので、光学情報から読取口までの距離を一定に保ちながら所定の評価項目について測定することができる。このため、当該光学情報検証装置が携帯可能なものであっても、光学情報から読取口までの離隔距離を一定にできるので、当該離隔距離が変動することによって生じる測定誤差を防止することができる。したがって、測定誤差による誤った改善策の出力を防止できる。
【００２８】
請求項７の発明では、当該光学情報検証装置は携帯可能であり、光学情報に照明光を照射可能な照射手段と、この照射手段により照射された照明光が光学情報に反射した反射光を読み取り可能な読取口と、この読取口の開口周囲に筒状に設けられ、照明手段から光学情報への照射光の照射および光学情報から読取口への反射光の入射をそれぞれ可能にし、かつ照明光および反射光以外の外来光の入射を遮断可能な遮光材を備える。これにより、照射手段から照射された照明光は、確実に光学情報に照射することができ、またこの光学情報に反射された反射光の入射を確実に読取口に導くことができ、その一方で、外来光の入射を遮光部材により遮断することができる。したがって、例えば、評価項目として、光学情報を構成するコード像のコントラストを検証する場合に、このような遮光部材を設けることで、外部から到来する外来光の影響を防ぐことができるので、外来光の届かない暗室でなくても、当該コントラストについて検証することができる。
【００２９】
請求項８の発明では、照射手段は、光学情報を読み取り得る光学情報読取装置から光学情報に照射される照明光とほぼ同様の発光特性を備えた照明光を照射可能にしている。これにより、それぞれの光学情報読取装置に設けられた照明光の特性とほぼ同様の発光特性で所定の評価項目について測定することができるので、実際に使用される光学情報読取装置の装置条件に近い環境で評価をすることができる。したがって、より現実の使用環境に適合した改善策を把握することができるので、さらに短時間に低コストで適正な光学情報の記録を可能にすることができる。
【００３０】
請求項９の発明では、照明光が、光の三原則または白色からなり、これら各色の発光強度、点灯および消灯の各条件をそれぞれ任意に設定可能にしている。これにより、それぞれの光学情報読取装置から照射される照明光の発光状態に近い状態を設定して所定の評価項目について測定することができるので、実際に使用される光学情報読取装置の装置条件に近い環境で評価をすることができる。したがって、より現実の使用環境に適合した改善策を把握することができるので、さらに短時間に低コストで適正な光学情報の記録を可能にすることができる。
【００３１】
請求項１０の発明では、改善策出力手段は、文字情報、記号情報および図形情報の少なくとも１以上を表示可能な表示手段、または音声および音響の少なくとも１以上を出力可能な出力手段、を介して具体的対策を出力可能にしている。これにより、当該光学情報検証装置の使用者は、このような表示手段による視覚的に把握可能な出力あるいは出力手段による聴覚的に把握可能な出力によって改善策を把握することができる。したがって、当該使用者は、改善策を容易に把握することができるので、一層、短時間かつ低コストで適正な光学情報の印刷を可能にすることができる。
【発明を実施するための最良の形態】
【００３２】
以下、本発明の光学情報検証装置の実施形態について図を参照して説明する。まず、本実施形態に係る２次元コード検証器１０の構成を図１〜図３に基づいて説明する。
【００３３】
図１に示すように、２次元コード検証器１０は、主に、縦長のほぼ矩形箱状なすハウジング１１と、このハウジング１１内に収容される回路部２０と、同じくこのハウジング１１内に収容されて回路部２０に駆動電力を供給する電池４９と、により構成されている。
【００３４】
ハウジング１１は、例えば、ＡＢＳ樹脂等の合成樹脂からなる成形部品で、その一端側に、ハウジング１１の裏面方向に前傾するように「首曲がり形状」をなす読取口１１ａを備えている。この読取口１１ａは、後述する回路部２０の受光センサ２３に入射する入射光を導入可能な開口部で、後述するような読取ガイド５０や遮光フード６０等を取り付け可能に構成している。一方、このハウジング１１の他端側には、電池４９を収容可能な図略の電池ボックスが形成されている。また、ハウジング１１の表面側には液晶表示器４６を取付可能な開口部も形成されており、後述するように、２次元コード検証器１０の使用者が液晶表示器４６に表示する表示内容を視覚的に把握可能に構成している。
【００３５】
回路部２０は、ハウジング１１の内部に収容されているプリント配線板１５、１６に実装される各種の電子部品１８等によって構成されている。即ち、回路部２０は、主に、照明光源２１、受光センサ２３、結像レンズ２７等の光学系と、メモリ３５、制御回路４０、操作スイッチ４２、液晶表示器４６等のマイクロコンピュータ（以下「マイコン」という）系と、電源スイッチ４１、電池４９等の電源系と、から構成されている。そして、これらはプリント配線板１５、１６に実装されたり、あるいはハウジング１１内に内装されている。
【００３６】
ここで、回路部２０の構成について図２を参照して後述する。図２に示すように、回路部２０を構成する光学系は、照明光源２１、受光センサ２３、マーカ光源２５、結像レンズ２７等から構成されている。照明光源２１は、図１には記載されていないが、照明光発光可能な照明光源として機能するもので、例えば、赤色のＬＥＤとこのＬＥＤの出射側に設けられる拡散レンズ、集光レンズ等とから構成されている。本実施形態では受光センサ２３を挟んだ両側に照明光源２１が設けられており、ハウジング１１の読取口１１ａを介して読取対象物Ｒに向けて照明光Ｌｆを照射可能に構成されている。
【００３７】
なお、本実施形態では、赤色のＬＥＤを用いているが、例えば青色、白色等といった多種多様な発光色を、当該２次元コードＱを読み取り得る２次元バーコードリーダ（光学情報読取装置）の照明光Ｌｆの発光色に合わせても良い。これにより、２次元バーコードリーダの照明光の発光状態に近い状態で、照明光源２１から照明光Ｌｆを照射できる。
【００３８】
受光センサ２３は、読取対象物Ｒや２次元コードＱに照射されて反射した反射光Ｌｒを受光可能に構成されるもので、例えば、Ｃ−ＭＯＳやＣＣＤ等の固体撮像素子である受光素子を１００万個オーダーで２次元に配列したエリアセンサがこれに相当する。この受光センサ２３の受光センサ２３ａには、ハウジング１１の外から読取口１１ａを介して外観可能に構成されており、受光センサ２３は、結像レンズ２７を介して入射する入射光をこの受光センサ２３ａで受光可能にプリント配線板１５に実装されている。
【００３９】
マーカ光源２５は、２次元コード検証器１０の使用者に対して適切な読取位置を知らせるためのマーカ光Ｍｆを発光可能なマーカ光源として機能するもので、例えばレーザダイオードとこのレーザダイオードの出射側に設けられる拡散レンズ、集光レンズやマーカ光ＭｆによるセンターマークＭＸやコーナーマークＭＬといったパターンを形成可能なスリット盤、結像レンズ、絞り盤から構成されている。これにより、図６(A) に示すように、読取対象物Ｒに向けてマーカ光Ｍｆが照射されると、読取対象物Ｒの表面にはコーナーマークＭＬやセンターマークＭＸによるマーカＭＫが映し出されるので、センターマークＭＸを中心にコーナーマークＭＬと２次元コードＱの外側とが一致するように位置あわせをすることで、読取対象物Ｒから読取口１１ａまでの距離を一定に保つことが可能となる。
【００４０】
結像レンズ２７は、外部からハウジング１１を介して入射する入射光を集光して受光センサ２３の受光センサ２３ａに像を結像可能な結像光学系として機能しうるもので、例えば鏡筒とこの鏡筒に収容される複数の集光レンズとにより構成されている。なお、図２には示されていないが、図１に示すように、２次元コードＱ等に反射して読取口１１ａに入射した反射光Ｌｒの光路を変更する反射鏡２６が読取口１１ａ内に設けられている。
【００４１】
次にマイコン系の構成概要を説明する。図２に示すように、マイコン系は、増幅回路３１、Ａ／Ｄ変換回路３３、メモリ３５、アドレス発生回路３６、同期信号発生回路３８、制御回路４０、操作スイッチ４２、ＬＥＤ４３、ブザー４４、液晶表示器４６、通信インタフェース４８等から構成されている。このマイコン系は、その名の通り、マイコン（情報処理装置）として機能しうる制御回路４０およびメモリ３５を中心に構成されるもので、前述した光学系により撮像された２次元コードＱの画像信号等をハードウエア的およびソフトウエア的に信号処理し得るものである。また制御回路４０は、当該２次元コード検証器１０の全体のシステムに関する制御も行っている。
【００４２】
光学系の受光センサ２３から出力される画像信号は、増幅回路３１に入力されることで所定原因で増幅した後、Ａ／Ｄ変換回路３３に入力されるとアナログ信号からデジタル信号に変換される。そして、デジタル化された画像信号、つまり画像データはメモリ３５に入力されると所定の入力バッファに蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいてメモリ３５に格納される画像データの格納アドレスを発生可能に構成されている。
【００４３】
メモリ３５は、半導体メモリ装置で、例えば読取対象物ＲＡＭ（ＤＲＡＭ、ＳＲＡＭ等）や読取対象物ＲＯＭ（ＥＰＲＯＭ、ＥＥＰＲＯＭ等）がこれに相当する。このメモリ３５のうちのＲＡＭには、前述した所定のバッファ領域やこのほか制御回路４０が算術演算や論理演算等の各処理に利用する作業領域等も確保可能に構成されている。また、ＲＯＭには、後述する検証処理等を実行可能な所定のプログラムやその他、照明光源２１、受光センサ２３やマーカ光源２５等の各ハードウェアの制御可能なシステムプログラム等が予め格納されている。
【００４４】
制御回路４０は、２次元コード検証器１０全体の制御を可能なマイコンで、ＣＰＵ、システムバス、入出力インタフェースとからなり、メモリ３５と共に情報処理装置を構成し情報処理機能を有する。この制御回路４０には、内蔵された入出力インタフェースを介して種々の入出力装置（周辺装置）と接続可能に構成されており、本実施形態の場合、電源スイッチ４１、操作スイッチ４２、ＬＥＤ４３、ブザー４４、液晶表示器４６、通信インタフェース４８等を接続している。これにより、例えば、電源スイッチ４１や操作スイッチ４２の監視や管理、またインジケータとして機能するＬＥＤ４３の点灯・消灯、ビープ音やアラーム音を発生可能なブザー４４の鳴動のオンオフ、さらには読み取った２次元コードＱの評価結果を表示可能な液晶表示器４６の画面制御や外部機器とのシリアル通信を可能にする通信インタフェース４８の通信制御等を可能にしている。なお、操作スイッチ４２には、照明光源２１による照明光Ｌｆの照射を指示するトリガースイッチ１４が含まれている。
【００４５】
電源系は、電源スイッチ４１、電池４９等に構成されており、制御回路４０により管理されている電源スイッチ４１のオンオフによって、前述した各装置や各回路に、電池４９から供給される駆動電圧の導通や遮断が制御されている。なお、電池４９は、所定の直流電圧を発生可能な二次電池で、例えば、リチウムイオン電池等がこれに相当する。
【００４６】
次に、このように構成される２次元コード検証器１０のハウジング１１の読取口１１ａに取り付けられる読取ガイド５０等の例を図３に基づいて説明する。例えば、図３(A) に示すように、２次元コード検証器１０ａでは、四角筒状からなる読取ガイド５０を読取口１１ａに取り付ける。この読取ガイド５０は、２次元コードＱから読取口１１ａまでの離隔距離を一定に保つためのもので、例えば、透明な合成樹脂等により構成される。これにより、前述したようなマーカ光源２５によるマーカ光Ｍｆを照射しなくても、読取ガイド５０によって２次元コードＱから読取口１１ａまでの離隔距離を一定に保つことができるので、マーカ光源２５およびその周辺回路を設ける必要がない分、回路部２０を簡易に構成することができる。
【００４７】
また、図３(B) に示すように、拡径状の四角筒状からなる遮光フード６０を読取口１１ａに設けても良い。遮光フード６０は、光の透過を遮断するもので、例えば、前述した読取ガイド５０の材質を遮光性のある合成樹脂に変えることにより構成することができる。この遮光フード６０を設けた２次元コード検証器１０ｂでは、２次元コードＱから読取口１１ａまでの距離を一定に保つことができると共に、遮光フード６０の外から到来する太陽光やその他の外来光を遮断することができるので、２次元コードＱに遮光フード６０を被せることで、２次元コードＱに外来光が照射されることを防止できる。そのため、正確なコントラストを２次元コードＱについて検証する場合、外来光の影響で精度が低下することを防止する必要がある場合、このような遮光フード６０を設けることにより、例えば暗室がないところにおいてもこのような検証を実施することができる。
【００４８】
さらに、図３(C) に示すように、拡径状の四角筒状からなるミラーフード７０を読取口１１ａに設けても良い。ミラーフード７０は、例えば、外来光は反射しても内部の照明光Ｌｆ等は内から外へ透過する、いわゆるマジックミラーのような材質ならなる。このようなミラーフード７０を備える２次元コード検証器１０ｃでは、例えば太陽光のような外来光はミラーフード７０の内部に入射するのを防ぎながら、ミラーフード７０の内部に照射される照明光Ｌｆは、内部から外部に透過するので、例えば、外来光による影響に加えて照明光Ｌｆの反射による影響でも精度が低下するような測定項目のある２次元コードＱの検証に特に有効となる。
【００４９】
ここで、２次元コードＱの一例として、ＱＲコードの構成概要を図４を参照して簡単に説明する。図４に示すように、ＱＲコードは、セルＣＬ、切り出しシンボルＱＳ、アライメントパターンＡＰ、タイミングパターンＴＰおよびクワイエットゾーンＱＺから構成されている。セルＣＬは、碁盤の目のような正方形状のマトリックスに配置される白色または黒色の正方形状の領域で、ＱＲコードの最小構成要素である。
【００５０】
切り出しシンボルＱＳは、セルＣＬによって構成されるマトリックスの３箇所の隅に位置する正方形に配置される複数セルの集合体で、ＱＲコードの位置、大きさ、傾きを検出可能に構成されている。具体的には、３セル×３セルの正方形状に配置された９個の黒色セルＣＬと、これを取り囲む１６個の白色セルＣＬと、さらにこれらの白色セルＣＬを取り囲む２４個の黒色セルＣＬとからなる。この切り出しシンボルＱＳによって３６０度全方向でＱＲコードの検出を可能にしている。
【００５１】
アライメントパターンＡＰも、正方形に配置される複数セルの集合体で、ＱＲコードの歪みを補正可能に構成されており、３箇所の切り出しシンボルＱＳによって規定される正方形範囲内の所定箇所に位置している。具体的には、１セル分の独立した黒色セルＣＬと、この黒色セルＣＬの周囲を囲む８個の白色セルＣＬと、この正方形状の白色セルＣＬの周囲を囲む１６個の黒色セルＣＬとからなるので、中心座標を検出を容易にしている。
【００５２】
タイミングパターンＴＰは、各セルＣＬの中心座標を求めるためのタイミング抽出を可能にする、白色、黒色が繰り返し現れるパターンで、白色セルＣＬと黒色セルＣＬとを直線状に交互に配置している。例えば、ＱＲコードが歪んだり、セルＣＬのピッチに誤差が生じている場合、セルＣＬの中心座標を補正するために用いられる。タイミングパターンＴＰは、所定のアライメントパターンＡＰの中心を通るように、ＱＲコードの縦方向および横方向のそれぞれに設けられている。
【００５３】
クワイエットゾーンＱＺは、３箇所の切り出しシンボルＱＳによって規定される正方形範囲の外側周囲に設けられる余白スペースで、外側方向に向かって４セルＣＬ分以上の幅に設定されている。このクワイエットゾーンＱＺによってＱＲコードの境界を検出可能にしている。なお、図４に示す碁盤の目のような正方形状のマトリックスのうち、上述した切り出しシンボルＱＳ、アライメントパターンＡＰおよびタイミングパターンＴＰを除いた部分がデータ領域となり、例えば、０／１からなる２値データを白色セルＣＬと黒色セルＣＬとに対応させてデータ表現している。
【００５４】
次に、このように構成される２次元コード検証器１０により実行される評価処理の流れを図５に基づいて説明する。なお、評価処理は前述したメモリ３５の読取対象物ＲＯＭに格納される評価プログラムを制御回路４０が実行することによって行われる。
【００５５】
図５に示すように、この評価処理では、まずステップＳ１０１による使用条件入力処理が行われる。この処理は、前述した操作スイッチ４２を使用者が押すことにより、例えば、液晶表示器４６に表示されるメニュー内容によって所定の使用条件、例えば光学情報読取装置が携帯電話機であるのか２次元コードスキャナであるか等の読取条件等を選択する。
【００５６】
ステップＳ１０１により使用条件が入力されると、次にステップＳ１０３により２次元コード撮像処理が行われる。この処理は、例えば、トリガースイッチ１４を使用者が押すことにより照明光源２１から出射された照明光Ｌｆが２次元コードＱに反射してその反射光Ｌｒが読取口１１ａを介して受光センサ２３に入射することによって、受光センサ２３で露光されて２次元コードＱの画像情報を得ることにより行われる。このとき、マーカ光源２５からはマーカ光Ｍｆが照射されるので、２次元コード検証器１０の使用者はこのマーカ光Ｍｆによって明示されるセンターマークＭＸやコーナーマークＭＬによるマーカＭＫを目印に２次元コードＱとの離隔距離を一定に保つことができる。
【００５７】
次にステップＳ１０５では適切な画像が取得できたか否かを判断する処理が行われる。この処理では、例えば図６に示すように、マーカ光ＭｆによるマーカＭＫと２次元コードＱとの位置関係を画像認識処理によって判断する。具体的には、図６(A) に示すように、２次元コードＱの３箇所の隅に設けられる切り出しシンボル（ファインダパターン）ＱＳの外縁とマーカＭＫのコーナーマークＭＬの外縁とが一致しているか否かを判断する。
【００５８】
そして、図６(A) に示すように両者が一致している場合には、適切な画像が取得できたと判断して（Ｓ１０５；Ｙｅｓ）、次のステップＳ１０７に処理を移行する。一方、図６(B) や図６(C) に示すように切り出しシンボルＱＳの外縁とコーナーマークＭＬの外縁とが一致していない場合には（Ｓ１０５；Ｎｏ）、ステップＳ１０３に処理を移行して再び２次元コード撮像処理を行う。
【００５９】
即ち、図６(B) に示すように、２次元コードＱの内側にコーナーマークＭＬが入り込んでしまいコーナーマークＭＬの外側に切り出しシンボルＱＳの一部がはみ出しているような場合には、２次元コードＱと読取口１１ａとの離隔距離が近すぎることを示す。これに対し、図６(C) に示すように、コーナーマークＭＬの内側に余白部分があり、なおかつ、その内側に切り出しシンボルＱＳが位置している場合には、２次元コードＱと読取口１１ａとの離隔距離が遠すぎることを示す。このように本実施形態では、マーカ光源２５によるマーカ光Ｍｆを照射することにより、それによるコーナーマークＭＬやセンターマークＭＸを２次元コードＱの上に映し出すことで、２次元コードＱと読取口１１ａとの離隔距離の関係を２次元コード検証器１０の使用者に明示可能にしている。
【００６０】
ステップＳ１０５による判断処理で適切な画像が取得できたと判断されると（Ｓ１０５；Ｙｅｓ）、次のステップＳ１０７より画像２値化処理が行われる。この処理は、受光センサ２３により取得された画像信号を増幅回路３１、Ａ／Ｄ変換回路３３を介してメモリ３５に格納した後、黒色と白色との中間にあたる灰色の色成分を所定のしきい値によって黒色または白色のデータに変換するものである。つまり、グレースケールの白黒以外を白または黒に変換する処理である。
【００６１】
具体的には、図７(A) に示すように、受光センサ２３により取得された画像信号には、２次元コードを黒色の部分と白色の部分のほかに灰色の部分も含まれているで、この灰色の部分を黒色または白色に変換することで、例えば図７(B) に示すように、白黒の２値に変換する。ここで、図７(B) に示す破線楕円α内はそれを拡大すると、図７(C) に示すような画像データとなる。即ち、図７(C) では、受光センサ２３を構成する画素（ピクセル）をグリッド状に表現したもので、各画素に対応して２次元コードＱを構成する白黒の画像情報が表れる。そのため、２次元コードＱを構成する黒の最小範囲（ＱＲコードのセルＣＬに相当）の幅や長さ等を画素単位で測定することによって当該２次元コードＱが適正に記録されいるか（印刷されているか）否かを判断することができる。このような処理を本実施形態の検証処理では、ステップＳ１０９により行っている。
【００６２】
図５に示すようにステップＳ１０７により画像２値化処理が終わると、次にステップＳ１０９により画素計測・評価値計算処理が行われる。この処理では、図７(C) を示して説明したように画素単位で２次元コードＱを構成する最小単位（セル）の幅や長さを測定しその測定結果を評価値として計算する。具体的には、例えばセルピッチ(cell pitch)、Ｘ方向拡張度(X expand)、Ｙ方向の拡張度(Y expand)等の各測定項目に基づいて測定を行う。このような測定値は、２次元コードＱを構成する最小単位（セル）をすべてについて行い、それらの平均値を評価値とする。例えば、セルピッチの評価値は０．５、Ｘ方向拡張度の評価値は０．３３、Ｙ方向拡張度の評価値は０．ｌ３等といった具合である。
【００６３】
続くステップＳ１１１では、評価値変換処理が行われる。この処理は、ステップＳ１０９により計算された評価値に対応する改善策を変換する処理である。具体的には、例えば図８に示すような評価値変換テーブルが用いられる。この評価値変換テーブルは、メモリ３５にあらかじめ格納されており、制御回路４０がメモリ３５上の評価値変換テーブルを検索することによって当該テーブルに示された番号（０〜１９）に基づいて評価および改善策を変換する。
【００６４】
例えば、評価項目「セルサイズ」、「コントラスト」、「印刷拡張」、「軸非均一性」、「誤り訂正未使用率」について、「使用環境」、「スキャナ」、「紙」、「プリンタ」が、それぞれ対応する。前述したセルピッチは、セルとセルとの間の間隔を表すのでそれがそのまま「セルサイズ」に対応する。また、Ｘ方向拡張度やＹ方向拡張度は、それぞれ「印刷拡張」に対応する。このため、例えば、前述のセルピッチの評価値が０．５の場合には、セルサイズの評価値として、０．５のところを参照する。すると、セルサイズの評価値が０．５の場合には、評価値「０．２５〜」（０．２５超過）のところに対応するので、例えばスキャナ（光学情報読取装置）が携帯電話機の場合には「０」、２次元コードスキャナ（２Ｄスキャナ）の場合には「０」がそれぞれ評価および改善点の番号に対応する。なお、評価および改善点の番号（０〜１９）は、図９にその内容が示されている。例えば、番号「０」の場合には、評価は「良好です。」であり、改善点は「問題ありません。」となる。
【００６５】
また、Ｘ方向拡張度０．３３、Ｙ方向拡張度０．１３については、評価項目として「印刷拡張」が対応する。このため、例えば、Ｘ方向拡張度０．３３に対応する印刷拡張の評価値は、−０．５０〜＋０．５０（−０．５０以上＋０．５０未満）に当たるので、その評価および改善策の番号は「０」に対応する。同様に、Ｙ方向拡張度０．１３についても、印刷拡張の評価値は、−０．５０〜＋０．５０（−０．５０以上＋０．５０未満）に対応するので、この評価および改善点の番号は「０」が対応する。したがって、図９に示すように、評価は「良好です。」、改善点は「問題ありません。」となる。
【００６６】
さらに、コントラストや軸非均一性あるいは誤り訂正未使用率についても、同じような要領で評価することができるが、ここではそれら内容を割愛する。また、使用環境がスキャナ（光学情報読取装置）のほかに、紙（印刷媒体、表示媒体）やプリンタ（表示機器、印刷機器）についてもそれぞれ評価や改善点に対応する番号が付されている。
【００６７】
このようにステップＳ１１１では、評価値変換処理が行われてそれに対応する評価および改善点の番号が得られるので、この番号に対応したメッセージを続くステップＳ１１３の評価結果・改善点表示処理によって液晶表示器４６に表示する。
【００６８】
ステップＳ１１３では評価結果・改善点表示処理が行われる。この処理は、図９に示すメッセージテーブルに基づいて、番号に対応する評価および改善点を液晶表示器４６に表示する処理である。例えば、番号「１」の場合には、評価として「セルサイズが小さい。」、また改善点として「セルサイズを大きくして下さい。」というメッセージを液晶表示器４６に表示する。また番号「２」の場合には、評価として「セルが太っています。」、改善点として「印刷圧を弱くして下さい。」というメッセージを液晶表示器４６に表示する。以下、同様に番号「３」〜番号「１９」までそれぞれに対応した評価および改善点を液晶表示器４６に表示できるように、当該メッセージテーブルではそれぞれのテキストデータを格納している。このような評価結果は、例えば図１０(A) や図１０(B) に示すように液晶表示器４６に表示される。
【００６９】
以上説明したように、本実施形態にかかる２次元コード検証器１０よると、受光センサ２３により読取対象物Ｒに記録された２次元コードＱを撮像し、制御回路４０およびメモリ３５によって、受光センサ２３により撮像された２次元コードＱの記録状態を所定の評価項目（セルサイズ、コントラスト、印刷拡張、軸非均一性、誤り訂正未使用率）ついて測定してその測定値を出力し、この制御回路４０およびメモリ３５により得られた測定値と所定の基準値（図８に示す評価値）等を制御回路４０およびメモリ３５により比較してその比較結果を出力する。そして制御回路４０、メモリ３５、液晶表示器４６によって、当該比較結果に対応した改善策に変換して出力する。
【００７０】
これにより、受光センサ２３により撮像された２次元コードＱの記録状態が適正でない場合には、所定の基準値として比較した比較結果に基づいてその比較結果に対応した具体的な改善策が液晶表示器４６に出力されるので（図１０）、当該記録された２次元コードＱのどこを修正すれば良いか、どのような点を改善すれば良いか等を的確に把握することができる。したがって、専門家等による指摘や指導を受けることなく、２次元コードＱの記録状態等を適正に修正することができるので、短時間に低コストで適正な２次元コードＱを記録することができる。
【００７１】
なお、図５に示す使用条件入力処理（Ｓ１０１）として、例えば、紙（表示媒体、記録媒体）等の２次元コードＱ（光学情報）の記録条件を入力しても良い。これにより、２次元コードＱ（光学情報）の記録条件を踏まえて、改善策を変換して出力することが可能となるので、例えば２次元コードＱが記録（印刷）される表示媒体（例えば紙やフィルムの質（紙であれば、再生紙、上質紙、コート紙）や記録（印刷）するための機器装置の種類（インクジェットプリンタ、レーザプリンタ）等といった条件に基づいた改善策を出力することができる。したがって、専門家等による指摘を受けなくてもこのような記録条件に基づいた適切な改善策を把握することができるので、さらに短時間に低コストで適正な光学情報の記録を可能にすることができる。
【００７２】
また、図５に示す使用条件入力処理（Ｓ１０１）により、光学情報の種別として、例えばバーコード、２次元コード等といったコードの種類を入力するようにしても良い。これにより、光学情報の種別を踏まえて改善策を変換して出力することになるので、このようなバーコードであるか２次元コードであるかの違い、あるいはそのサイズ（寸法）等といった違いに基づいた改善策を出力することができる。したがって、このような場合にも専門家等による指摘を受けなくても光学情報の種別に基づいた適切な改善策を把握することができるので、さらに短時間に低コストで適正な光学情報の記録を可能にすることができる。
【００７３】
なお、上述した実施形態では、図８に示すように２次元コードＱの記録条件として、その記録媒体である紙が「再生紙」、「上質紙」および「コート紙」のいずれであるかによって、あるいは光学情報読取装置であるスキャナが「携帯電話機」によるものであるか「２次元コードスキャナ」であるかによって、各評価項目に対応する評価および改善点の番号を評価値変換テーブルに設定したが、例えば、光学情報の種別（例えば、バーコード、２次元コード）の違いを加えても良い。これにより、バーコードや２次元コードといった光学情報の種別を踏まえて改善策を変換して出力することが可能になるので、このような光学情報の種別に基づいた適切な改善策を、専門家等の指摘を受けることなく把握することができる。このため、よりさらに短時間に低コストで適正な光学情報の記録を可能にすることができる。なお、光学情報の種別としてバーコードや２次元コードの違いのほかにバーコードや２次元コードのサイズ（寸法）といったものも含めることができる。
【００７４】
また、上述した実施形態では、照明光源２１を制御回路４０で制御することにより、ＬＥＤ４３が所定条件で点灯・消灯したり、あるいは発光強度や発光色が設定されていたが、例えば、実際に使用されるバーコードリーダ等の光学情報読取装置の機種に対応した条件で、ＬＥＤ４３を点灯・消灯させたり、ＬＥＤ４３の発光強度や発光色を設定しても良い。これにより、実際に使用されるバーコードリーダ等の装置条件に近い環境で評価をすることができるので、より現実の使用環境に適合した改善策を把握することができ、さらに短時間に低コストで適正な光学情報の記録を可能にすることができる。
【００７５】
さらに、上述した実施形態では、照明光源２１を設けて２次元コードＱに照明光Ｌｆを照射するように構成したが、例えば、太陽光等の外来光を２次元コードＱに照射して当該２次元コードＱを読み取る場合の検証では、照明光源２１を必要とすることなく、上述した各検証を行うことができる。
【００７６】
さらにまた、上述した実施形態では、評価結果や改善策を日本語文字として液晶表示器４６に表示したが、これに代えてまたはこれに加えて、例えば、ブザー４４等の音響装置を介してビープ音や疑似音声で評価結果や改善策の意味内容を音響出力しても良い。
【００７７】
なお、上述した実施形態等では、光学情報として、２次元コードの場合を例示して説明したが、本発明はこれに限られることはなく、光学情報であれば、例えば、いわゆるバーコード（ＥＡＮ／ＵＰＣ、インターリーブド２オブ５、コーダバー、コード３９／１２８、スタンダード２オブ５、ＲＳＳ等の１次元コード）の検証にも適用することができる。また、上述した実施形態等では、光学情報として、特に、マトリックスコード（マトリックスシンボル）体系のＱＲコードを例示して説明したが、本発明はこれに限られることはなく、他のマトリックスコード体系のもの（データマトリックス、マキシコード、マイクロＱＲコード等）や、マルチローコード（マルチローシンボル）体系（ＰＤＦ４１７、マイクロＰＤＦ４１７、ＲＳＳコンポジット等）の検証にも適用することができる。
【図面の簡単な説明】
【００７８】
【図１】本発明の実施形態に係る２次元コード検証器の構成を示す模式的な縦断面図である。
【図２】本実施形態に係る２次元コード検証器の回路構成を示すブロック図である。
【図３】本実施形態に係る２次元コード検証器の改変例を示す模式的な説明図で、図３(A) は読取ガイドを設けた例、図３(B) は遮光フードを設けた例、図３(C) はミラーフードを設けた例、である。
【図４】２次元コードの一例として、ＱＲコードの構成概要を示す説明図である。
【図５】本実施形態に係る２次元コード検証器による検証処理の流れを示すフローチャートである。
【図６】本実施形態に係る２次元コード検証器から照射されるマーカ光による離隔距離の設定例を示す説明図で、図６(A) は適正距離に設定された例、図６(B) は適正距離よりも近くに設定された例、図６(C) は適正距離よりも遠くに設定された例、である。
【図７】図７(A) は受光センサにより得られた画像情報の一例を示す説明図で、図７(B) は図７(A) の画像情報を２値化処理した後の画像情報の例を示す説明図で、図７(C) は図７(B) に示す破線α内を画素単位に区切った画像情報の例を示す説明図である。
【図８】本実施形態に係る２次元コード検証器が持つ評価値変換テーブルの一例を示す説明図である。
【図９】本実施形態に係る２次元コード検証器が持つメッセージテーブルの一例を示す説明図である。
【図１０】本実施形態に係る２次元コード検証器の液晶表示器に出力される評価結果の表示例で、図１０(A) は評価が良好の場合、図１０(B) は評価が良好ではない場合、をそれぞれ示すものである。
【符号の説明】
【００７９】
１０、１０ａ、１０ｂ、１０ｃ…２次元コード検証器
１１…ハウジング
１１ａ…読取口
１４…トリガースイッチ
１５、１６…プリント配線板
２１…照明光源
２３…受光センサ（撮像手段）
２５…マーカ光源
３５…メモリ（測定手段、改善策出力手段）
４０…制御回路（測定手段、改善策出力手段）
４２…操作スイッチ（読取条件入力手段、入力手段）
４４…ブザー（出力手段）
４６…液晶表示器（表示手段）
５０…読取ガイド（案内部材）
６０…遮光フード（遮光部材）
７０…ミラーフード（遮光部材）
Ｌｆ…照明光
Ｌｒ…反射光
ＭＫ…マーカ
ＭＬ…コーナーマーク
ＭＸ…センターマーク
Ｍｆ…マーカ光
Ｍｒ…マーカ反射光
Ｑ…２次元コード（光学情報）
ＱＳ…切り出しシンボル
Ｒ…読取対象物（表示媒体）
【図１】
2007122243.tif 000003
【図２】
2007122243.tif 000004
【図４】
2007122243.tif 000005
【図５】
2007122243.tif 000006
【図６】
2007122243.tif 000007
【図８】
2007122243.tif 000008
【図９】
2007122243.tif 000009
【図１０】
2007122243.tif 000010
【図３】
2007122243.tif 000011
【図７】
2007122243.tif 000012